(57)【特許請求の範囲】
【請求項１】
吐水スクリーンを有する外筒と内筒と基準位置表示とを備えており、
上記外筒の外面が、表示部を有しており、
上記外筒と上記内筒との相対回転により、吐出水形の変化が可能とされており、
上記相対回転により、吐水流量及び／又は吐水流速の変化が可能とされており、
上記相対回転により、上記表示部と上記基準位置表示との相対位置の変化が可能とされており、
この表示部が、
上記吐出水形を示す複数の絵柄と、
上記吐水流量及び／又は吐水流速の変化を示す高さ変化部とを有しており、
上記絵柄が、上記高さ変化部の内部に配置されている散水ノズル。
【請求項２】
吐水スクリーンを有する外筒と内筒と基準位置表示とを備えており、
上記外筒の外面が、表示部を有しており、
上記外筒と上記内筒との相対回転により、吐出水形の変化が可能とされており、
上記相対回転により、吐水流量及び／又は吐水流速の変化が可能とされており、
上記相対回転により、上記表示部と上記基準位置表示との相対位置の変化が可能とされており、
この表示部が、
上記吐出水形を示す複数の絵柄と、
上記吐水流量及び／又は吐水流速の変化を示す高さ変化部とを有しており、
上記高さ変化部が、平面展開図において右側に位置する右高さ変化部と、平面展開図において左側に位置する左高さ変化部とを有しており、
上記右高さ変化部が、右ベースラインと右傾斜線とを有しており、
上記左高さ変化部が、左ベースラインと左傾斜線とを有しており、
上記右ベースラインに対して直角な方向における、上記右ベースラインと上記右傾斜線との距離が高さＲｈとされ、上記左ベースラインに対して直角な方向における、上記左ベースラインと上記左傾斜線との距離が高さＬｈとされるとき、次の（ａ）、（ｂ）、（ｃ）又は（ｄ）を満たす散水ノズル。
（ａ）上記高さＲｈの変化率がＸＲとされ、上記高さＬｈの変化率がＸＬとされ、右回転領域での平均流速変化率がＳＲとされ、左回転領域での平均流速変化率がＳＬとされるとき、ＸＲとＸＬとの大小関係が、ＳＲとＳＬとの大小関係に一致している。
（ｂ）上記高さＲｈの変化率がＸＲとされ、上記高さＬｈの変化率がＸＬとされ、右回転領域での平均流量変化率がＶＲとされ、左回転領域での平均流量変化率がＶＬとされるとき、ＸＲとＸＬとの大小関係が、ＶＲとＶＬとの大小関係に一致している。
（ｃ）上記高さＲｈの最大値がＲｍｘとされ、上記高さＬｈの最大値がＬｍｘとされ、右回転領域での最大流速がＳＲ１とされ、左回転領域での最大流速がＳＬ１とされるとき、ＲｍｘとＬｍｘとの大小関係が、ＳＲ１とＳＬ１との大小関係に一致している。
（ｄ）上記高さＲｈの最大値がＲｍｘとされ、上記高さＬｈの最大値がＬｍｘとされ、右回転領域での最大流量がＶＲ１とされ、左回転領域での最大流量がＶＬ１とされるとき、ＲｍｘとＬｍｘとの大小関係が、ＶＲ１とＶＬ１との大小関係に一致している。
【請求項３】
上記吐水流量及び／又は吐水流速の変化が連続的であり、
上記表示部が、上記吐水流量及び／又は吐水流速の連続的な変化を示す連続的高さ変化部を有する請求項１又は２に記載の散水ノズル。
【請求項４】
上記表示部が、複数の目盛りを有する請求項１から３のいずれかに記載の散水ノズル。
【請求項５】
上記複数の絵柄のそれぞれが、水形高さＷｈと、水形手前幅Ｗ１と、水形先端幅Ｗ２とを有しており、
次の（ｅ）、（ｆ）又は（ｇ）を満たす請求項１から４のいずれかに記載の散水ノズル。
（ｅ）上記複数の絵柄において、上記水形高さＷｈが、吐水流量及び／又は吐水流速に対応して相違している。
（ｆ）上記複数の絵柄において、上記水形手前幅Ｗ１が、上記吐水スクリーンにおける水形幅に対応して相違している。
（ｇ）上記複数の絵柄において、上記水形先端幅Ｗ２が、着水範囲に対応して相違している。
【請求項６】
上記吐水スクリーンが、内側領域と、この内側領域の外側に位置する外周領域とを有しており、
上記内側領域に、シャワー孔が設けられており、
上記外周領域に、シャワー孔が設けられており、
上記相対回転により、上記内側領域からの吐出と上記外周領域からの吐出との切替が可能とされており、
上記相対回転に基づき、上記内側領域からの吐水流量が連続的又は段階的に変化しうるように構成されており、
上記相対回転に基づき、上記外周領域からの吐水流量が連続的又は段階的に変化しうるように構成されており、
上記複数の絵柄の全てが、上記シャワー孔による吐出水形を示している請求項１から５のいずれかに記載の散水ノズル。
【発明の詳細な説明】
【技術分野】
【０００１】
本発明は、散水ノズルに関する。
【背景技術】
【０００２】
散水ノズルは、園芸、清掃、洗車など、様々な用途で用いられている。また、吐水形状の切り替えが可能な散水ノズルが知られている。
【０００３】
特開２００３−１８１３２７号公報は、散水ノズルにおける吐水形状の切替基準位置の表示方法を開示する。この公報の図４には、ノズルヘッドの外筒外周面に表示される文字又は絵文字の例が示されている。この図４には、シャワー、ジョロ、ストップ、ストレート及びキリの５種類が表示されている。
【先行技術文献】
【特許文献】
【０００４】
【特許文献１】特開２００３−１８１３２７号
【発明の概要】
【発明が解決しようとする課題】
【０００５】
特開２００３−１８１３２７号公報に記載の表示では、表示と吐水仕様（例えば吐水流量）との関係が不明確である。
【０００６】
本発明の目的は、吐水仕様の調整が容易であり、利便性の高い散水ノズルの提供にある。
【課題を解決するための手段】
【０００７】
本発明の散水ノズルは、吐水スクリーンを有する外筒と内筒と基準位置表示とを備えている。上記外筒の外面は、表示部を有している。上記外筒と上記内筒との相対回転により、吐出水形の変化が可能とされている。上記相対回転により、吐水流量及び／又は吐水流速の変化が可能とされている。上記相対回転により、上記表示部と上記基準位置表示との相対位置の変化が可能とされている。この表示部は、上記吐出水形を示す複数の絵柄と、
上記吐水流量及び／又は吐水流速の変化を示す高さ変化部とを有している。
【０００８】
好ましくは、上記吐水流量及び／又は吐水流速の変化が連続的であり、上記表示部が、上記吐水流量及び／又は吐水流速の連続的な変化を示す連続的高さ変化部を有する。
【０００９】
好ましくは、上記絵柄が、上記高さ変化部の内部に配置されている。好ましくは、上記表示部が、複数の目盛りを有する。
【００１０】
好ましくは、上記高さ変化部は、平面展開図において右側に位置する右高さ変化部と、平面展開図において左側に位置する左高さ変化部とを有している。好ましくは、上記右高さ変化部は、右ベースラインと右傾斜線とを有している。好ましくは、上記左高さ変化部は、左ベースラインと左傾斜線とを有している。好ましくは、この散水ノズルは、上記右ベースラインに対して直角な方向における、上記右ベースラインと上記右傾斜線との距離が高さＲｈとされ、上記左ベースラインに対して直角な方向における、上記左ベースラインと上記左傾斜線との距離が高さＬｈとされるとき、次の（ａ）、（ｂ）、（ｃ）又は（ｄ）を満たす。
（ａ）上記高さＲｈの変化率がＸＲとされ、上記高さＬｈの変化率がＸＬとされ、右回転領域での平均流速変化率がＳＲとされ、左回転領域での平均流速変化率がＳＬとされるとき、ＸＲとＸＬとの大小関係が、ＳＲとＳＬとの大小関係に一致している。
（ｂ）上記高さＲｈの変化率がＸＲとされ、上記高さＬｈの変化率がＸＬとされ、右回転領域での平均流量変化率がＶＲとされ、左回転領域での平均流量変化率がＶＬとされるとき、ＸＲとＸＬとの大小関係が、ＶＲとＶＬとの大小関係に一致している。
（ｃ）上記高さＲｈの最大値がＲｍｘとされ、上記高さＬｈの最大値がＬｍｘとされ、右回転領域での最大流速がＳＲ１とされ、左回転領域での最大流速がＳＬ１とされるとき、ＲｍｘとＬｍｘとの大小関係が、ＳＲ１とＳＬ１との大小関係に一致している。
（ｄ）上記高さＲｈの最大値がＲｍｘとされ、上記高さＬｈの最大値がＬｍｘとされ、右回転領域での最大流量がＶＲ１とされ、左回転領域での最大流量がＶＬ１とされるとき、ＲｍｘとＬｍｘとの大小関係が、ＶＲ１とＶＬ１との大小関係に一致している。
【００１１】
好ましくは、上記複数の絵柄のそれぞれが、水形高さＷｈと、水形手前幅Ｗ１と、水形先端幅Ｗ２とを有している。好ましくは、この散水ノズルは、次の（ｅ）、（ｆ）又は（ｇ）を満たす。
（ｅ）上記複数の絵柄において、上記水形高さＷｈが、吐水流量及び／又は吐水流速に対応して相違している。
（ｆ）上記複数の絵柄において、上記水形手前幅Ｗ１が、上記吐水スクリーンにおける水形幅に対応して相違している。
（ｇ）上記複数の絵柄において、上記水形先端幅Ｗ２が、着水範囲に対応して相違している。
【００１２】
好ましくは、上記吐水スクリーンが、内側領域と、この内側領域の外側に位置する外周領域とを有している。好ましくは、 上記内側領域にシャワー孔が設けられている。好ましくは、 上記外周領域にシャワー孔が設けられている。好ましくは、上記相対移動により、上記内側領域からの吐出と上記外周領域からの吐出との切替が可能とされている。好ましくは、上記相対移動に基づき、上記内側領域からの吐水流量が連続的又は段階的に変化しうるように構成されている。好ましくは、上記相対移動に基づき、上記外周領域からの吐水流量が連続的又は段階的に変化しうるように構成されている。好ましくは、上記複数の絵柄の全てが、上記シャワー孔による吐出水形を示している。
【発明の効果】
【００１３】
本発明に係る散水ノズルでは、吐水仕様の選択が容易とされうる。
【図面の簡単な説明】
【００１４】
【図１】図１は、本発明の第一実施形態に係る散水ノズルの右側面図である。
【図２】図２は、図１の散水ノズルの左側面図である。
【図３】図３は、図１の散水ノズルの平面図である。
【図４】図４は、図１の散水ノズルの底面図である。
【図５】図５（ａ）及び図５（ｂ）は、第一実施形態に係る表示部の平面展開図である。
【図６】図６は、図５（ａ）の平面展開図が線図に変換された図である。
【図７】図７は、第二実施形態に係る表示部の平面展開図である。
【図８】図８は、第三実施形態に係る表示部の平面展開図である。
【図９】図９は、第四実施形態に係る表示部の平面展開図である。
【図１０】図１０は、図１の散水ノズルにおける吐水スクリーンの平面図である。
【図１１】図１１は、図１の散水ノズルの先端部における断面図である。
【図１２】図１２は、図１の散水ノズルの先端部における断面図である。
【図１３】図１３は、図１の散水ノズルの先端部における断面図である。
【図１４】図１４は、図１の散水ノズルの先端部における断面図である。
【図１５】図１５は、図１の散水ノズルの先端部における断面図である。
【図１６】図１６（ａ）及び図１６（ｂ）は、実施例における水形の輪郭線を示す図である。
【図１７】図１７は、実施例におけるデータを示すグラフである。
【図１８】図１８は、実施例におけるデータを示すグラフである。
【図１９】図１９は、実施例におけるデータを示すグラフである。
【発明を実施するための形態】
【００１５】
以下、適宜図面が参照されつつ、好ましい実施形態に基づいて本発明が詳細に説明される。
【００１６】
［指示位置の定義］
本願において、基準位置表示Ｇ１（後述）によって指し示された表示部での位置が、指示位置と定義される。例えば、図３（後述）における指示位置は、中央部ＥＣである。
【００１７】
［右及び左の定義］
本願における「右」及び「左」は、後述される平面展開図（図５（ａ）等）において判断される。この平面展開図では、基準位置表示Ｇ１（後述）側が下側とされ、吐水スクリーン１１４（後述）側が上側とされる。
【００１８】
［右回転領域及び左回転領域の定義］
本願において、上記指示位置が右部分ＥＲ（後述）である回転領域が、右回転領域である。本願において、指示位置が左部分ＥＬ（後述）である回転領域が、左回転領域である。
【００１９】
［第一実施形態］
図１及び図２は、本発明の第一実施形態である散水ノズル１００の側面図である。図１は、右側面図である。図２は、左側面図である。図３は、上側から見た散水ノズル１００の平面図である。図４は、下側から見た散水ノズル１００の底面図である。
【００２０】
散水ノズル１００は、本体１０２、外筒１０４及び内筒１０６を有する。本体１０２は、給水接続部１０８、把持部１１０及びレバー１１２を有する。図示しないが、本体１０２の内部には、内筒１０６に水を供給する水供給管が配置されている。レバー１１２により、吐水と止水との切替が可能である。この切替を実現する構造は公知である。給水接続部１０８には、例えばホースが接続される。所定の供給水圧（水道水圧）で供給される水は、このホースから、上記水供給管を経由して、内筒１０６に至る。散水ノズル１００は、通常、一般の水道に接続される。一般の水道水圧は、下限としては０．０５ＭＰａ以上、より一般的には０．１５ＭＰａ以上であり、上限としては、０．７４ＭＰａ以下である。散水ノズル１００は、この範囲の水道水圧において好ましく用いられる。水道水圧は、ポンプ水圧等よりも比較的低い。散水ノズル１００では、このような比較的低い水道水圧においても、多様な水形が得られる。
【００２１】
外筒１０４は、内筒１０６に対して回転可能である。この回転により、回転ポジションが変化する。この回転ポジションの変化により、水形が変化する。この点の詳細については、後述される。
【００２２】
外筒１０４は、円周外面１０５と、吐水スクリーン１１４を有する。吐水スクリーン１１４は、外筒１０４の前面を形成している。円周外面１０５は、外筒１０４の後方部分に位置する。
【００２３】
この散水ノズル１００では、外筒１０４と内筒１０６との相対回転により、吐出水形が変化するように構成されれている。また、散水ノズル１００では、外筒１０４と内筒１０６との相対回転により、吐水流量が連続的に変化しうるように構成されている。散水ノズル１００の構造の詳細については、後述される。
【００２４】
外筒１０４は、表示部Ｅ１を有する。表示部Ｅ１は、外筒１０４の外面に設けられている。表示部Ｅ１は、円周外面１０５に設けられている。円周外面１０５の断面形状は円形である。本体１０２は、基準位置表示Ｇ１を有する（図３参照）。基準位置表示Ｇ１の形状は、略三角形である。基準位置表示Ｇ１の形状は、略二等辺三角形である。この略三角形（略二等辺三角形）の頂点は、前方（外筒１０４側）に向いている。表示部Ｅ１と基準位置表示Ｇ１との位置関係によって、回転ポジションＲ（後述）が視覚的に認識される。なお、基準位置表示Ｇ１の形状は限定されない。基準位置表示Ｇ１の数は限定されないが、１つが好ましい。基準位置表示Ｇ１は、別部品によって形成されていてもよい。この別部品の色は、基準位置表示Ｇ１の周囲の色とは異なるのが好ましい。また、基準位置表示Ｇ１は、印刷、シール、塗装等により形成されてもよいし、凸部であってもよいし、凹部であってもよい。印刷の剥がれ等によって表示が不明確となることを防止する観点から、基準位置表示Ｇ１は、次の（ｘ）とされるのが特に好ましく、次の（ｙ）と（ｚ）との併用によって形成されるのも好ましい。
（ｘ）基準位置表示Ｇ１が、色違いの別部品とされる。
（ｙ）基準位置表示Ｇ１が、凹部又は凸部とされる。
（ｚ）基準位置表示Ｇ１が、印刷、シール、塗装等とされる。
【００２５】
なお、図１から図４は、後述される回転ポジションＲ３（前後ポジションＰ３）における図である。回転ポジションＲに基づいて、表示部Ｅ１と基準位置表示Ｇ１との位置関係は変化する。
【００２６】
図５（ａ）及び図５（ｂ）は、表示部Ｅ１の展開図である。但し、図５（ｂ）では、後述される水形名称表示Ｎ１からＮ４の記載が省略されている。前述の通り、表示部Ｅ１は円周面上に配置されているが、この図５（ａ）及び図５（ｂ）では、表示部Ｅ１が平面上に展開されている。このような展開図が、前述した平面展開図である。図６は、図５（ａ）の実施形態において認識されうる形状を線図で示した図である。
【００２７】
図５（ａ）の実施形態では、水形名称表示Ｎ１からＮ４がネガ表示されている。即ち、水形名称表示Ｎ１からＮ４を除く部分に印刷又は塗装がなされることによって、印刷又は塗装がなされていない部分である水形名称表示Ｎ１からＮ４が表示されている。もちろん、水形名称表示Ｎ１からＮ４は、例えば、ポジ表示であってもよく、後述されるような線表示であってもよい。表示部Ｅ１は、視覚によって認識されればよい。
【００２８】
表示部Ｅ１は、吐出水形を示す複数の絵柄として、第一絵柄Ｐｃ１、第二絵柄Ｐｃ２、第三絵柄Ｐｃ３及び第四絵柄Ｐｃ４を有している。また、表示部Ｅ１は、吐水流量の変化を示す高さ変化部Ｈｃを有している。更に、表示部Ｅ１は、上記複数の絵柄Ｐｃ１から絵柄Ｐｃ４のぞれぞれに対応する水形名称表示Ｎ１からＮ４を有している。水形名称表示Ｎ１は、「シャワー」との文字である。水形名称表示Ｎ２は、「ジョロ」との文字である。
水形名称表示Ｎ３は、「ソフトジョロ」との文字である。水形名称表示Ｎ４は、「清掃シャワー」との文字である。水形名称表示Ｎ１は、第一絵柄Ｐｃ１に対応している。水形名称表示Ｎ２は、第二絵柄Ｐｃ２に対応している。水形名称表示Ｎ３は、第三絵柄Ｐｃ３に対応している。水形名称表示Ｎ４は、第四絵柄Ｐｃ４に対応している。
【００２９】
高さ変化部Ｈｃの形成方法は限定されず、例えば、凹凸によって形成することができる。具体的には、高さ変化部Ｈｃは、外筒１０４の外面に形成された凹又は凸とされうる。ただし、高さ変化部Ｈｃは、外筒１０４の外面に周方向に沿って形成されるため、凹又は凸によって形成されるとコストが高くなりやすい。この観点から、高さ変化部Ｈｃは、印刷、シール又は塗装によって形成するのが好ましい。
【００３０】
図５（ａ）が示すように、表示部Ｅ１は、右部分ＥＲと、左部分ＥＬと、中央部ＥＣとを有する。右部分ＥＲは、中央部ＥＣの右側に位置する。左部分ＥＬは、中央部ＥＣの左側に位置する。中央部ＥＣは、右部分ＥＲと左部分ＥＬとの間の部分である。中央部ＥＣは、回転ポジションＲ３（後述）における指示位置である。図５（ａ）の実施形態では、中央部ＥＣは、表示のない間欠部とされている。中央部ＥＣには、高さ変化部Ｈｃが設けられていない。右部分ＥＲは、全体として、略三角形又は略台形である。左部分ＥＬは、全体として、略三角形又は略台形である。なお、図５（ａ）の実施形態では、中央部ＥＣには何も記載されていないが、本願では、この中央部ＥＣを、表示部Ｅ１の一部として扱う。中央部ＥＣは、吐水流量がゼロ又は最小であることを分かりやすく表示している。
【００３１】
表示部Ｅ１では、絵柄Ｐｃ２（ジョロ）及び絵柄Ｐｃ３（ソフトジョロ）における水形が、曲線によって示されている。これらの曲線は、吐水流量及び吐水流速が小さいことを、使用者に連想させる。よって、使用者による水形選択が容易とされている。
【００３２】
表示部Ｅ１では、絵柄Ｐｃ１（シャワー）及び絵柄Ｐｃ４（清掃シャワー）における水形が、直線によって示されている。これらの直線は、吐水流量及び吐水流速が大きいことを、使用者に連想させる。よって、使用者による水形選択が容易とされている。
【００３３】
表示部Ｅ１は、ベースラインＢ１と傾斜線Ｋ１とを有する。ベースラインＢ１は、円周外面１０５の周方向に沿って延在している。平面展開図において、ベースラインＢ１は直線である。傾斜線Ｋ１は、ベースラインＢ１に対して傾斜している。即ち傾斜線Ｋ１は、ベースラインＢ１と平行ではない。平面展開図において、傾斜線Ｋ１は、直線である。ベースラインＢ１及び傾斜線Ｋ１は、表示部Ｅ１の輪郭線である。後述されるように、ベースラインＢ１及び傾斜線Ｋ１は、線そのものであってもよい。なお、平面展開図において、ベースラインＢ１及び傾斜線Ｋ１が曲線とされてもよい。吐出形態の理解を容易とする観点から、ベースラインＢ１は直線であるのが好ましい。平面展開図において傾斜線Ｋ１が曲線とされる場合、その曲線は、吐水流量及び／又は吐水流速を示すように曲がっているのが好ましい。
【００３４】
図５（ａ）が示すように、右部分ＥＲは、ベースラインＢ１としての右ベースラインＢ１Ｒと、傾斜線Ｋ１としての右傾斜線Ｋ１Ｒとを有する。左部分ＥＬは、ベースラインＢ１としての左ベースラインＢ１Ｌと、傾斜線Ｋ１としての左傾斜線Ｋ１Ｌとを有する。
【００３５】
右傾斜線Ｋ１Ｒは、右高さ変化部ＨＲの長手方向の全体に亘って連続した線である。左傾斜線Ｋ１Ｌは、左高さ変化部ＨＬの長手方向の全体に亘って連続した線である。これらの連続的な線は、高さＨ１の連続的な変化を効果的に視認させうる。
【００３６】
本実施形態において、表示部Ｅ１の高さＨ１は、ベースラインＢ１に対して垂直な方向における表示部Ｅ１の幅である（図６参照）。本実施形態では、ベースラインＢ１に対して垂直な方向は、円周外面１０５の中心軸線の方向と同じである。表示部Ｅ１においては、ベースラインＢ１に対して垂直な方向における、傾斜線Ｋ１とベースラインＢ１との距離が、上記高さＨ１である。右部分ＥＲにおける高さＨ１が、高さＲｈである。左部分ＥＬにおける高さＨ１が、高さＬｈである。右部分ＥＲにおいては、高さＲｈが、中央部ＥＣに近づくほど短くなっている。左部分ＥＬにおいては、高さＬｈが、中央部ＥＣに近づくほど短くなっている。
【００３７】
表示部Ｅ１において、高さＨ１は、中央部ＥＣに近づくほど徐々に小さくなる。この表示部Ｅ１の変化は、連続的である。高さ変化部Ｈｃは、連続的高さ変化部である。
【００３８】
左部分ＥＬにおいて、高さ変化部Ｈｃは、高さＬｈの上記変化によって形成されている。この左部分ＥＬの高さ変化部Ｈｃが、左高さ変化部ＨＬである。右部分ＥＲにおいて、高さ変化部Ｈｃは、高さＲｈの上記変化によって形成されている。この右部分ＥＲの高さ変化部Ｈｃが、右高さ変化部ＨＲである。
【００３９】
左部分ＥＬにおいて、高さＬｈは、中央部ＥＣに近づくほど徐々に小さくなる。この高さＬｈの変化は、連続的である。左部分ＥＬは、連続的高さ変化部を有している。左高さ変化部ＨＬは、連続的高さ変化部である。右部分ＥＲにおいて、高さＲｈは、中央部ＥＣに近づくほど徐々に小さくなる。この高さＲｈの変化は、連続的である。右部分ＥＲは、連続的高さ変化部を有している。右高さ変化部ＨＲは、連続的高さ変化部である。
【００４０】
図５（ａ）の実施形態では、絵柄Ｐｃの存在に起因して、実際に表記されているベースラインＢ１が部分的に欠落している。本願では、ベースラインＢ１が平面展開図において直線である場合、その直線を繋げた仮想線Ｌｘも、ベースラインＢ１とみなされる。図５（ｂ）に、この仮想線Ｌｘが示されている。この図５（ｂ）に示されるように、左部分ＥＬの仮想線Ｌｘは、左ベースラインＢ１Ｌとみなされる。右部分ＥＲの仮想線Ｌｘは、右ベースラインＢ１Ｒとみなされる。
【００４１】
よって、右部分ＥＲにおいて、仮想線Ｌｘと右傾斜線Ｋ１Ｒとの間の、ベースラインＢ１に垂直な方向における距離は、上記高さＲｈとみなされる（図５（ｂ）参照）。また、左部分ＥＬにおいて、仮想線Ｌｘと左傾斜線Ｋ１Ｌとの間の、ベースラインＢ１に垂直な方向における距離は、上記高さＬｈとみなされる
【００４２】
表示部Ｅ１の高さＨ１は、吐水流量及び／又は吐水流速を表示している。右部分ＥＲにおいては、基準位置表示Ｇ１が指す位置の高さＲｈが大きいほど、吐水流量及び／又は吐水流速が大きい。よって、吐水流量及び／又は吐水流速を視覚的に認識することができ、使用者による吐出仕様の選択が容易とされる。本実施形態では、基準位置表示Ｇ１が指す位置の高さＲｈが大きいほど、吐水流量及び吐水流速が大きい。
【００４３】
左部分ＥＬにおいては、基準位置表示Ｇ１が指す位置の高さＬｈが大きいほど、吐水流量及び／又は吐水流速が大きい。よって、吐水流量及び／又は吐水流速を視覚的に認識することができ、使用者による吐出仕様の選択が容易とされる。本実施形態では、基準位置表示Ｇ１が指す位置の高さＬｈが大きいほど、吐水流量及び吐水流速が大きい。
【００４４】
表示部Ｅ１に基づく利便性を更に高める観点から、表示部Ｅ１は、次の（ａ）、（ｂ）、（ｃ）又は（ｄ）を満たしているのが好ましく、（ａ）、（ｂ）、（ｃ）及び（ｄ）から選ばれる２以上を満たしているのがより好ましく、（ａ）、（ｂ）、（ｃ）及び（ｄ）から選ばれる３以上を満たしているのが更に好ましく、（ａ）、（ｂ）、（ｃ）及び（ｄ）の全てを満たしているのが特に好ましい。
【００４５】
（ａ）上記高さＲｈの変化率がＸＲとされ、上記高さＬｈの変化率がＸＬとされ、右回転領域での平均流速変化率がＳＲとされ、左回転領域での平均流速変化率がＳＬとされるとき、ＸＲとＸＬとの大小関係が、ＳＲとＳＬとの大小関係に一致している。
（ｂ）上記高さＲｈの変化率がＸＲとされ、上記高さＬｈの変化率がＸＬとされ、右回転領域での平均流量変化率がＶＲとされ、左回転領域での平均流量変化率がＶＬとされるとき、ＸＲとＸＬとの大小関係が、ＶＲとＶＬとの大小関係に一致している。
（ｃ）上記高さＲｈの最大値がＲｍｘとされ、上記高さＬｈの最大値がＬｍｘとされ、右回転領域での最大流速がＳＲ１とされ、左回転領域での最大流速がＳＬ１とされるとき、ＲｍｘとＬｍｘとの大小関係が、ＳＲ１とＳＬ１との大小関係に一致している。
（ｄ）上記高さＲｈの最大値がＲｍｘとされ、上記高さＬｈの最大値がＬｍｘとされ、右回転領域での最大流量がＶＲ１とされ、左回転領域での最大流量がＶＬ１とされるとき、ＲｍｘとＬｍｘとの大小関係が、ＶＲ１とＶＬ１との大小関係に一致している。
【００４６】
上記高さＲｈの変化率ＸＲとは、右ベースラインＢ１Ｒ上の移動距離に対する高さＲｈの変化率である。図５（ａ）の実施形態では、右傾斜線Ｋ１Ｒの傾斜角度の絶対値が、この変化率ＸＲに該当する。上記高さＬｈの変化率ＸＬとは、左ベースラインＢ１Ｌ上の移動距離に対する高さＬｈの変化率である。図５（ａ）の実施形態では、左傾斜線Ｋ１Ｌの傾斜角度の絶対値が、この変化率ＸＬに該当する。
【００４７】
右回転領域での平均流速変化率ＳＲとは、右回転領域全体における、相対回転角度に対する流速の平均変化率である。左回転領域での平均流速変化率ＳＬとは、左回転領域全体における、相対回転角度に対する流速の平均変化率である。
【００４８】
右回転領域での平均流量変化率ＶＲとは、右回転領域全体における、相対回転角度に対する流量の平均変化率である。左回転領域での平均流量変化率ＶＬとは、左回転領域全体における、相対回転角度に対する流量の平均変化率である。
【００４９】
Ｒｍｘは、上記高さＲｈの最大値である（図５（ｂ）参照）。Ｌｍｘは、上記高さＬｈの最大値である（図５（ｂ）参照）。
【００５０】
上記（ａ）、（ｂ）、（ｃ）及び（ｄ）は、表示部Ｅ１と吐出状態（水形、吐水流量及び／又は吐水流速）との相関性を高める。よって、使用者は、表示部Ｅ１に基づき、所望の吐出状態を選択しやすい。
【００５１】
図６においては、水形高さＷｈ、水形手前幅Ｗ１及び水形先端幅Ｗ２が示されている。図６において両矢印Ｗｈ１で示されるのは、絵柄Ｐｃ１の水形高さＷｈである。図６において両矢印Ｗｈ２で示されるのは、絵柄Ｐｃ２の水形高さＷｈである。図６において両矢印Ｗｈ３で示されるのは、絵柄Ｐｃ３の水形高さＷｈである。図６において両矢印Ｗｈ４で示されるのは、絵柄Ｐｃ４の水形高さＷｈである。図６において両矢印Ｗ１１で示されるのは、絵柄Ｐｃ１の水形手前幅Ｗ１である。図６において両矢印Ｗ１２で示されるのは、絵柄Ｐｃ２の水形手前幅Ｗ１である。図６において両矢印Ｗ１３で示されるのは、絵柄Ｐｃ３の水形手前幅Ｗ１である。図６において両矢印Ｗ１４で示されるのは、絵柄Ｐｃ４の水形手前幅Ｗ１である。図６において両矢印Ｗ２１で示されるのは、絵柄Ｐｃ１の水形先端幅Ｗ２である。図６において両矢印Ｗ２２で示されるのは、絵柄Ｐｃ２の水形先端幅Ｗ２である。図６において両矢印Ｗ２３で示されるのは、絵柄Ｐｃ３の水形先端幅Ｗ２である。図６において両矢印Ｗ２４で示されるのは、絵柄Ｐｃ４の水形先端幅Ｗ２である。
【００５２】
好ましくは、表示部Ｅ１は、次の（ｅ）、（ｆ）又は（ｇ）を満たす。より好ましくは、表示部Ｅ１は、（ｅ）、（ｆ）及び（ｇ）から選択される２以上を満たす。更に好ましくは、表示部Ｅ１は、（ｅ）、（ｆ）及び（ｇ）の全てを満たす。
【００５３】
（ｅ）上記複数の絵柄において、上記水形高さＷｈが、吐水流量及び／又は吐水流速に対応して相違している。
（ｆ）上記複数の絵柄において、水形手前幅Ｗ１が、上記吐水スクリーンにおける水形幅に対応して相違している。
（ｇ）上記複数の絵柄において、水形先端幅Ｗ２が、着水範囲に対応して相違している。
【００５４】
上記（ｅ）に関して、複数の水形高さＷｈは、吐水流量及び／又は吐水流速に対応して相違している。左部分ＥＬにおいて、中央部ＥＣに近い絵柄Ｐｃほど、水形高さＷｈが小さい。即ち、水形高さＷｈ２は水形高さＷｈ１よりも小さい。右部分ＥＲにおいて、中央部ＥＣに近い絵柄Ｐｃほど、水形高さＷｈが小さい。即ち、水形高さＷｈ３は水形高さＷｈ４よりも小さい。
【００５５】
本実施形態の表示部Ｅ１では、複数の水形高さＷｈは、吐水流量及び吐水流速に対応して相違している。基準位置表示Ｇ１が絵柄Ｐｃ２を指す回転ポジションＲにおける吐水流量は、基準位置表示Ｇ１が絵柄Ｐｃ１を指す回転ポジションＲにおける吐水流量よりも少ない。基準位置表示Ｇ１が絵柄Ｐｃ２を指す回転ポジションＲにおける吐水流速は、基準位置表示Ｇ１が絵柄Ｐｃ１を指す回転ポジションＲにおける吐水流速よりも少ない。基準位置表示Ｇ１が絵柄Ｐｃ３を指す回転ポジションＲにおける吐水流量は、基準位置表示Ｇ１が絵柄Ｐｃ４を指す回転ポジションＲにおける吐水流量よりも少ない。基準位置表示Ｇ１が絵柄Ｐｃ３を指す回転ポジションＲにおける吐水流速は、基準位置表示Ｇ１が絵柄Ｐｃ４を指す回転ポジションＲにおける吐水流速よりも少ない。
【００５６】
上記（ｆ）に関して、複数の水形手前幅Ｗ１は、吐水スクリーン１１４における水形幅に対応して相違している。左部分ＥＬに位置する絵柄Ｐｃの水形手前幅Ｗ１（Ｗ１１、Ｗ１２）は、右部分ＥＲに位置する絵柄Ｐｃの水形手前幅Ｗ１（Ｗ１３、Ｗ１４）よりも大きい。左部分ＥＬにおける水形手前幅Ｗ１の最小値Ｗ１１は、右部分ＥＲにおける水形手前幅Ｗ１の最大値Ｗ１４よりも大きい。後述されるように、基準位置表示Ｇ１が右部分ＥＲを指している回転ポジションＲにおいては、吐水スクリーン１１４の内側領域Ａ１（後述）から吐水される。一方、基準位置表示Ｇ１が左部分ＥＬを指している回転ポジションＲにおいては、吐水スクリーン１１４の外周領域Ａ２（後述）から吐水される。内側領域Ａ１からの水形幅は、外周領域Ａ２からの水形幅よりも小さい。この水形幅に対応して、複数の水形手前幅Ｗ１が上述の如く相違している。なお、水形幅とは、水平方向に発射されている吐水を上方から見たときの幅である。
【００５７】
上記（ｇ）に関して、複数の水形先端幅Ｗ２は、着水範囲に対応して相違している。左部分ＥＬに位置する絵柄Ｐｃの水形先端幅Ｗ２（Ｗ２１、Ｗ２２）は、右部分ＥＲに位置する絵柄Ｐｃの水形先端幅Ｗ２（Ｗ２３、Ｗ２４）よりも大きい。左部分ＥＬにおける水形先端幅Ｗ２の最小値（Ｗ２１又はＷ２２）は、右部分ＥＲにおける水形先端幅Ｗ２の最大値Ｗ２４よりも大きい。後述される直進吐水状態においては、基準位置表示Ｇ１が右部分ＥＲを指している回転ポジションＲにおける着水範囲は、基準位置表示Ｇ１が左部分ＥＬを指している回転ポジションＲにおける着水範囲よりも小さい。この着水範囲に対応して、複数の水形先端幅Ｗ２が上述の如く相違している。なお、着水範囲は、吐水方向に対して垂直な平面において判断される。
【００５８】
ソフトジョロ水形が直進吐水状態を維持できない飛水距離においては、着水範囲は、清掃シャワーのほうがソフトジョロよりも大きくなりうる。この点を考慮し、水形先端幅Ｗ２４は、水形先端幅Ｗ２３よりも大きくされている。
【００５９】
散水ノズル１００の吐水流量及び／又は吐水流速の変化が連続的である場合、表示部Ｅ１は前述した連続的高さ変化部を有するのが好ましい。外筒１０４が回転されると、指示位置における高さＨ１が連続的に変化し、吐水流量及び／又は吐水流速も連続的に変化する。左部分ＥＬにおいて、指示位置における高さＬｈが小さいほど、吐水流量及び／又は吐水流速が小さくなる。右部分ＥＲにおいて、指示位置における高さＲｈが小さいほど、吐水流量及び／又は吐水流速が小さくなる。このように、吐水流量及び／又は吐水流速の連続的な変化と、高さ変化部における高さＨ１の連続的な変化とが対応している。よって、使用者が吐水仕様を容易に設定することができる。なお、吐水流量及び／又は吐水流速の変化が段階的である場合、表示部Ｅ１は段階的高さ変化部を有するのが好ましい。
【００６０】
なお、散水ノズル１００の吐水流量及び／又は吐水流速の変化が連続的である場合に、表示部Ｅ１が段階的高さ変化部を有していてもよい。可能な態様として、以下の態様１から４が例示される。表示と吐水仕様との一致性を考慮すると、以下の態様３及び態様４が好ましい。本実施形態は、態様３である。
（態様１）散水ノズル１００の吐水流量及び／又は吐水流速の変化が連続的であり、表示部Ｅ１が段階的高さ変化部を有する。
（態様２）散水ノズル１００の吐水流量及び／又は吐水流速の変化が段階的であり、表示部Ｅ１が連続的高さ変化部を有する。
（態様３）散水ノズル１００の吐水流量及び／又は吐水流速の変化が連続的であり、表示部Ｅ１が連続的高さ変化部を有する。
（態様４）散水ノズル１００の吐水流量及び／又は吐水流速の変化が段階的であり、表示部Ｅ１が段階的高さ変化部を有する。
【００６１】
表示部Ｅ１は、設定可能な全ての指示位置に存在している。設定可能なあらゆる回転ポジションＲにおいて、基準位置表示Ｇ１は、左部分ＥＬ、中央部ＥＣ又は右部分ＥＲのいずれかを指し示している。あらゆる回転ポジションＲにおいて表示部Ｅ１が機能しているため、使用者があらゆる回転ポジションＲにおいて吐水状態を容易に把握することができる。よって、節水効果が向上する。また、指示位置が中央部ＥＣである場合、吐水流量はゼロ（吐水ストップ）又は吐水流量が最小とされている。よって、節水効果が一層向上する。
【００６２】
図５（ａ）に示されるように、絵柄Ｐｃ１から絵柄Ｐｃ４は、高さ変化部Ｈｃの内部に配置されている。絵柄Ｐｃ１及び絵柄Ｐｃ２は左部分ＥＬ（左高さ変化部ＨＬ）の内部に位置している。絵柄Ｐｃ３及び絵柄Ｐｃ４は右部分ＥＲ（右高さ変化部ＨＲ）の内部に配置されている。散水ノズル１００において、表示部Ｅ１が配置可能な部分の面積には制約がある。よって、絵柄Ｐｃと高さ変化部Ｈｃとが分離している場合、高さ変化部Ｈｃ及び／又は絵柄Ｐｃが小さくなる。高さ変化部Ｈｃが小さい場合、使用者が吐水流量等の変化を認識しにくくなることがある。また、絵柄Ｐｃが小さい場合、絵柄Ｐｃの形状、水形手前幅Ｗ１、水形先端幅Ｗ２、水形高さＷｈ等を認識しにくくなることがある。実施形態では、絵柄Ｐｃ１から絵柄Ｐｃ４が高さ変化部Ｈｃの内部に配置されている。高さ変化部Ｈｃ及び絵柄Ｐｃのいずれについても、高い視認性が確保されている。
【００６３】
このように、本実施形態では、吐出水形を示す複数の絵柄Ｐｃが、吐水流量及び／又は吐水流速の変化を示す高さ変化部Ｈｃの内部に表示されている。これらの絵柄Ｐｃが高さ変化部Ｈｃの外部に表示されてもよい。ただし、複数の絵柄Ｐｃが高さ変化部Ｈｃの内部に表示される場合、使用者は、吐出水形と、吐水流量及び／又は吐水流速の変化との両者を、容易に確認しやすい。この観点からも、吐出水形を示す複数の絵柄Ｐｃが高さ変化部Ｈｃの内部に表示されているのが好ましい。なお、吐出水形を示す複数の絵柄Ｐｃが高さ変化部Ｈｃの内部に表示されている場合、水形名称表示Ｎ１は、高さ変化部Ｈｃの外側に配置されてもよい。本実施形態では、水形名称表示Ｎ１は、高さ変化部Ｈｃの外側に配置されている。
【００６４】
本実施形態では、絵柄Ｐｃ同士の間の位置に高さ変化部Ｈｃが存在している。よって、絵柄Ｐｃ同士の間の位置において吐水が可能であることが表示されている。また、高さ変化部Ｈｃにより、スリーブを回転させる操作が容易に連想されるため、使用者が操作方法を理解しやすい。また、高さ変化部Ｈｃにより、スリーブの回転方向と水形の変化との関係が容易に想像されうる。更に、絵柄Ｐｃ同士の間の位置に高さ変化部Ｈｃが存在しているため、絵柄Ｐｃ同士の間の回転ポジションが容易に記憶されうる。前述した特開２００３−１８１３２７号では、絵柄Ｐｃが所定間隔おきに表示されているため、これらの効果が得られない。
【００６５】
本願に係る他の発明は、散水ノズル及びその使用説明書のセットである。このセットは、散水ノズル１００に付属している。この使用説明書には、次の説明１が記載されている。好ましくは、この使用説明書には、次の説明２及び／又は説明３が記載されている。
（説明１）表示部Ｅ１の高さＨ１が吐水流量及び／又は吐水流速を表示していることを意味する説明。
（説明２）右部分ＥＲにおいて、基準位置表示Ｇ１が指す位置の高さＲｈが大きいほど、吐水流量及び／又は吐水流速が大きいことを意味する説明。
（説明３）左部分ＥＬにおいては、基準位置表示Ｇ１が指す位置の高さＬｈが大きいほど、吐水流量及び／又は吐水流速が大きいことを意味する説明。
【００６６】
図７は、第二実施形態の表示部Ｅ２を示す平面展開図である。上記表示部Ｅ１に代えて、この表示部Ｅ２が用いられても良い。この表示部Ｅ２については、図５（ａ）の実施形態と異なる点について説明する。表示部Ｅ２は、目盛りＳｃ１を有している。目盛りＳｃ１は、複数の絵柄Ｐｃの間に設けられている。目盛りＳｃ１は、ベースラインＢ１に設けられている。目盛りＳｃ１は、高さ変化部Ｈｃの内部に配置されている。絵柄Ｐｃ１と絵柄Ｐｃ２との間の目盛りＳｃ１は、左部分ＥＬ（左高さ変化部ＨＬ）の内部に配置されている。絵柄Ｐｃ３と絵柄Ｐｃ４との間の目盛りＳｃ１は、右部分ＥＲ（右高さ変化部ＨＲ）の内部に配置されている。
【００６７】
左部分ＥＬにおいて、複数の目盛りＳｃ１が、絵柄Ｐｃ１と絵柄Ｐｃ２との間に設けられている。複数の目盛りＳｃ１は、等間隔で設けられている。右部分ＥＲにおいて、複数の目盛りＳｃ１が、絵柄Ｐｃ３と絵柄Ｐｃ４との間に設けられている。複数の目盛りＳｃ１は、等間隔で設けられている。目盛りＳｃ１は、外筒１０４と内筒１０６との相対回転の位置を示す。これらの目盛りＳｃ１は、回転ポジションＲの設定における利便性を高める。基準位置表示Ｇ１を絵柄Ｐｃに合わせたときの水形では満足できない使用者は、目盛りＳｃ１を利用することで、好みの水形を容易に再現することができる。
【００６８】
図７の実施形態では、水形名称表示Ｎ１として、「ワイドシャワー」との名称が用いられている。この文言により、右回転領域でのシャワー水形（清掃シャワー）と比較して着水範囲が広いことが、容易に認識されうる。
【００６９】
図７の実施形態では、絵柄Ｐｃ及び目盛りＳｃ１の存在に起因して、実際に表記されているベースラインＢ１が部分的に欠落している。本願では、ベースラインＢ１が平面展開図において直線である場合、その直線を繋げた仮想線Ｌｘも、ベースラインＢ１とみなされる。この仮想線Ｌｘについては、図５（ｂ）に示されており、図７では記載が省略されている。
【００７０】
表示部Ｅ２では、絵柄Ｐｃ２（ジョロ）及び絵柄Ｐｃ３（ソフトジョロ）における水形が、ドット（破線）によって示されている。これらの絵柄は、吐水流量及び吐水流速が少ないことを、使用者に容易に連想させる。よって、使用者による水形選択が容易とされている。
【００７１】
表示部Ｅ２では、中央部ＥＣに、吐水状態を示す文字が記載されている。本実施形態では、吐水状態を示す文字は、「ストップ」である。指示位置が中央部ＥＣであるときの回転ポジションＲにおいて、吐水がストップする場合に、この表示部Ｅ２が好ましく用いられる。
【００７２】
図８は、第三実施形態に係る表示部Ｅ３の平面展開図である。この表示部Ｅ３で表示されている内容は、表示部Ｅ２（図８）と同じである。ただし、表示部Ｅ２がネガ表示であるのに対して、この表示部Ｅ３は、線表示である。このように、表示の形態は限定されず、視覚によって認識できる表示であればよい。上記表示部Ｅ１に代えて、この表示部Ｅ３が用いられても良い。
【００７３】
図９は、第四実施形態に係る表示部Ｅ４の平面展開図である。この実施形態では、実際に表記されているベースラインＢ１が絵柄Ｐｃの存在に起因して欠落している欠落部が存在しない。この点を除き、この表示部Ｅ４は、上記表示部Ｅ２と同様である。この実施形態では、図５（ｂ）に示す仮想線Ｌｘを考慮する必要がない。上記表示部Ｅ１に代えて、この表示部Ｅ４が用いられても良い。
【００７４】
以下、散水ノズル１００の構造について、詳細に説明される。
【００７５】
図１０は、吐水スクリーン１１４の平面図である。吐水スクリーン１１４は、内側領域Ａ１と、外周領域Ａ２とを有する。平面視（図１０）において、内側領域Ａ１は、直径がＤ１である円形の領域である。外周領域Ａ２は、円環状の領域である。外周領域Ａ２は、内側領域Ａ１の外側（半径方向外側）に位置する。図１０において符号Ｄ２で示されるのは、外周領域Ａ２の外径である。直径Ｄ２は、平面視における直径である。図示されないが、吐水スクリーン１１４の外面は、凸状の曲面を形成している。この凸状の曲面は、球面形状である。この凸状の曲面により、着水範囲が拡大される。
【００７６】
内側領域Ａ１から吐水される場合、指示位置は、右部分ＥＲ又は左部分ＥＬの一方である。外周領域Ａ２から吐水される場合、指示位置は、右部分ＥＲ又は左部分ＥＬの他方である。本実施形態では、内側領域Ａ１から吐水される場合に指示位置が右部分ＥＲであり、外周領域Ａ２から吐水される場合に指示位置が左部分ＥＬである。
【００７７】
内側領域Ａ１は円形とするのが良いが、他の形状、例えば楕円又は矩形とすることもできる。ここで、その内側領域Ａ１の外輪郭線上の２つの点の距離を離間距離Ｌとする。この離間距離Ｌは、上記２点を両端とし且つ上記外輪郭線の図心を通る線分の長さである。離間距離Ｌの最大値がＬｍａｘとされ、離間距離Ｌの最小値がＬｍｉｎとされる。内側領域Ａ１の外輪郭線が非円形とされる場合、（Ｌｍａｘ／Ｌｍｉｎ）は、２以下が好ましく、１．５以下がより好ましく、１．２以下が更に好ましい。円形の内側領域Ａ１では、（Ｌｍａｘ／Ｌｍｉｎ）が１である。
【００７８】
外周領域Ａ２の内輪郭線の形状は、上述の内側領域Ａ１の外輪郭線の形状と同じとされるのが好ましい。この場合、外周領域Ａ２の内輪郭線が、内側領域Ａ１の外輪郭線と一致しているのがより好ましい。外周領域Ａ２の外輪郭線は円形とするのがよいが、他の形状、例えば楕円又は矩形とすることもできる。ここで、その外周領域Ａ２の外輪郭線上の２つの点の距離を離間距離Ｍとする。この離間距離Ｍは、上記２点を両端とし且つ上記外輪郭線の図心を通る線分の長さである。離間距離Ｍの最大値がＭｍａｘとされ、離間距離Ｍの最小値がＭｍｉｎとされる。外周領域Ａ２の外輪郭線が非円形である場合、（Ｍｍａｘ／Ｍｍｉｎ）は、２以下が好ましく、１．５以下がより好ましく、１．２以下が更に好ましい。外輪郭線が円形である外周領域Ａ２では、（Ｍｍａｘ／Ｍｍｉｎ）が１である。
【００７９】
内側領域Ａ１には、複数のシャワー孔ｈ１が設けられている。内側領域Ａ１において、吐水が可能な孔は、シャワー孔ｈ１のみである。内側領域Ａ１に、シャワー孔ｈ１以外の他の孔が併設されてもよい。好ましくは、本実施形態のように、内側領域Ａ１における吐水が可能な孔は、シャワー孔ｈ１のみとされる。
【００８０】
吐水スクリーン１１４の内面に面した水路における流量が、本願において、スクリーン内流量とも称される。吐水スクリーン１１４の内面に面した水路における動水圧が、本願において、スクリーン内圧とも称される。吐水スクリーン１１４の内面に面した水路における流速が、本願において、スクリーン内流速とも称される。
【００８１】
スクリーン内圧が高くなると、スクリーン内流量及び吐水流量が増加する。この場合、多数のシャワー孔ｈ１からの吐水は、清掃シャワー水形を形成する。指示位置が絵柄Ｐｃ４の場合に、清掃シャワー水形が形成される。スクリーン内圧が低くなると、スクリーン内流量及び吐水流量が低下する。この場合、多数のシャワー孔ｈ１からの吐水は、ソフトジョロ水形を形成する。指示位置が絵柄Ｐｃ３の場合に、ソフトジョロ水形が形成される。これらの水形と、前述した絵柄Ｐｃとが対応している。これらの水形の詳細については、後述される。
【００８２】
なお、内側領域Ａ１の更に内側の中央部に、シャワー孔以外の吐水孔が配置されてもよい。このシャワー孔以外の吐水孔から吐水の水形として、上記特許文献１（特公平４−３９３８６号公報）に記載されている、キリ及びストレートが例示される。キリ及びストレートの水形が設定される場合、これらの水形が吐出される回転ポジションＲでの指示位置に、キリ及びストレートの絵柄Ｐｃが記載されるのが好ましい。この実施形態の場合、このシャワー孔以外の吐水孔に連通する水路が設けられる。なお、内側領域Ａ１の内側の中央部にシャワー孔以外の吐水孔が設けられた場合、散水ノズル１００の構造が複雑となり、散水ノズル１００が大型化しやすい。よって、散水ノズル１００の小型化及び構造の簡素化の観点から、内側領域Ａ１の内側にシャワー孔以外の吐水孔を設けないのが好ましい。内側領域Ａ１は、吐水スクリーン１１４の中心を含み、吐水スクリーン１１４の中央領域を構成しているのが好ましい。
【００８３】
外周領域Ａ２には、複数のシャワー孔ｈ２が設けられている。外周領域Ａ２において、吐水が可能な孔は、シャワー孔ｈ２のみである。外周領域Ａ２に、シャワー孔ｈ２以外の他の孔が併設されてもよい。好ましくは、本実施形態のように、外周領域Ａ２における吐水が可能な孔は、シャワー孔ｈ２のみとされる。
【００８４】
スクリーン内圧が高くなると、スクリーン内流量及び吐水流量が増加する。この場合、多数のシャワー孔ｈ２からの吐水は、シャワー水形を形成する。指示位置が絵柄Ｐｃ１の場合に、シャワー水形が形成される。スクリーン内圧が低くなると、スクリーン内流量及び吐水流量が低下する。この場合、多数のシャワー孔ｈ２からの吐水は、ジョロ水形を形成する。指示位置が絵柄Ｐｃ２の場合に、ジョロ水形が形成される。これらの水形の詳細については、後述される。
【００８５】
［用語の定義］
ここで、明確性の観点から、本願における用語が以下の如く定義される。
【００８６】
［回転ポジションＲ］
回転ポジションＲとは、周方向における外筒１０４と内筒１０６との周方向での相対的位置関係である。回転ポジションＲは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。この連続的な変化は、後述されるネジ結合によって実現される。
【００８７】
［前後ポジションＰ］
前後ポジションＰとは、前後方向における外筒１０４と内筒１０６との相対的位置関係である。前後ポジションＰは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。連続的に変化する。前後ポジションＰは、回転ポジションＲに連動している。この連動は、後述されるネジ結合によって実現される。
【００８８】
［シャワー孔］
シャワー孔とは、好ましくは、吐水スクリーン１１４の外面における孔径（孔の直径）が１．０ｍｍ以下の孔であるか、又は、吐水スクリーン１１４の外面における孔面積が０．７９ｍｍ２以下の孔である。より好ましい孔径については後述される。
【００８９】
［シャワー吐水］
シャワー吐水とは、シャワー孔からの吐水を意味する。スクリーン内流量が高い場合、多数のシャワー孔からの吐水は、シャワー水形を形成する。スクリーン内流量が低い場合、多数のシャワー孔からの吐水は、ジョロ水形を形成する。
【００９０】
［水形］
水形は、吐水の形状である。本実施形態では、４つの水形が実現される。これら４つの水形は、清掃シャワー水形、ソフトジョロ水形、ジョロ水形及びシャワー水形である。これら４つの水形は、いずれも、シャワー吐水による水形である。
【００９１】
［清掃シャワー水形、ソフトジョロ水形］
清掃シャワー水形及びソフトジョロ水形は、いずれも、内側領域Ａ１からの吐水の形状である。清掃シャワー水形とソフトジョロ水形との間に明確な境界は無い。つまりこれらの水形の名称は概念的である。したがって、表示部Ｅ１における絵柄Ｐｃ４（清掃シャワー）及び絵柄Ｐｃ３（ソフトジョロ）は、それぞれの水形を得るための回転ポジションＲの一例である。例えば、絵柄Ｐｃ４及び絵柄Ｐｃ３は、各水形を得るために推奨される回転ポジションＲを示す。指示位置が絵柄Ｐｃ４と絵柄Ｐｃ３との間である場合、これらの絵柄Ｐｃ４及び絵柄Ｐｃ３で得られる各水形の中間的な水形が得られる。
【００９２】
スクリーン内流量によって、清掃シャワー水形からソフトジョロ水形まで、水形が連続的に変化しうる。散水範囲が比較的狭く且つ水の勢いが強いシャワー吐水は、水の勢いによって汚れを落とす用途に適している。
【００９３】
清掃シャワー水形では、重力の存在下において水が直進する部分（吐水直進部）を有する。この吐水直進部では、水形が円錐形又は円筒形である。ソフトジョロ水形では、この吐水直進部が、無いか、又は非常に短い。
【００９４】
［ジョロ水形、シャワー水形］
ジョロ水形及びシャワー水形は、いずれも、外周領域Ａ２からの吐水の形状である。ジョロ水形とシャワー水形との間に明確な境界は無い。つまりこれらの水形の名称は概念的である。したがって、表示部Ｅ１における絵柄Ｐｃ２（ジョロ）及び絵柄Ｐｃ１（シャワー）は、それぞれの水形を得るための回転ポジションＲの一例である。例えば、絵柄Ｐｃ２及び絵柄Ｐｃ１は、各水形を得るために推奨される回転ポジションＲを示す。指示位置が絵柄Ｐｃ２と絵柄Ｐｃ１との間である場合、これらの絵柄Ｐｃ２及び絵柄Ｐｃ１で得られる各水形の中間的な水形が得られる。スクリーン内流量によって、ジョロ水形からシャワー水形まで、水形が連続的に変化しうる。
【００９５】
シャワー水形では、重力の存在下において水が直進する部分（吐水直進部）を有する。この吐水直進部では、水形が円錐形である。ジョロ水形では、この吐水直進部が、無いか、又は非常に短い。
【００９６】
図１１から図１５は、外筒１０４及び内筒１０６を示す断面図である。図１１から図１５では、外筒１０４を内筒１０６に対して回転させることにより、回転ポジションＲ及び前後ポジションＰが変化する。よって例えば、内筒１０６の後端と外筒１０４の後端との前後方向距離Ｄｓ（図１１から図１５参照）も連続的に変化する。図１１から図１５は、連続的な変化によって生ずる多数の形態のうちの５つを例示したにすぎない。
【００９７】
図１１から図１５が示すように、外筒１０４は、内側領域Ａ１に連通する第１流路ＷＲ１と、外周領域Ａ２に連通する第２流路ＷＲ２と、雌ネジ部ｆｓ１と、円筒部材ｃｄ１とを有する。円筒部材ｃｄ１は、通水部（第一通水部）ｔｈ１と、円周内面１１８と、傾斜面１２０とを有する。第一通水部ｔｈ１は、円筒部材ｃｄ１の後端部に設けられた切り欠きである。第一通水部ｔｈ１は、円筒部材ｃｄ１の周方向の複数位置に設けられている。第一通水部ｔｈ１は貫通孔であってもよい。傾斜面１２０は、前方にいくほどその内径が大きくなる円錐凹面である。
【００９８】
図１１から図１５が示すように、内筒１０６は、供給流路１２２と、雄ネジ部ｍｓ１と、通水部（第二通水部）ｔｈ２とを有する。第二通水部ｔｈ２は内筒１０６を貫通する孔である。第二通水部ｔｈ２は、内筒１０６の周方向の複数位置に設けられている。更に、内筒１０６は、第一止水部１２４と、第二止水部１２６とを有する。
【００９９】
第一止水部１２４は、第二通水部ｔｈ２の前方に設けられている。第二止水部１２６は、第二通水部ｔｈ２の後方に設けられている。第一止水部１２４及び第二止水部１２６は、Ｏリングである。第一止水部１２４の外径は第二止水部１２６の外径に等しい。第一止水部１２４は、第二止水部１２６と同軸で配置されている。第一止水部１２４が円周内面１１８に接すると、水密状態が形成される。第二止水部１２６が円周内面１１８に接すると、水密状態が形成される。なお、Ｏリングに代えて、密封シール等のシール部材が採用されてもよい。
【０１００】
雌ネジ部ｆｓ１と雄ネジ部ｍｓ１とはネジ結合を形成している。前述した通り、外筒１０４を内筒１０６に対して回転させると、このネジ結合に起因して、回転ポジションＲ及び前後ポジションＰが連続的に変化する。
【０１０１】
図１１は、回転ポジションＲがＲ１であるときの断面図である。このとき、前後ポジションＰはＰ１であり、上記距離ＤｓはＤｓ１である。図１２は、回転ポジションＲがＲ２であるときの断面図である。このとき、前後ポジションＰはＰ２であり、上記距離ＤｓはＤｓ２である。図１３は、回転ポジションＲがＲ３であるときの断面図である。このとき、前後ポジションＰはＰ３であり、上記距離ＤｓはＤｓ３である。図１４は、回転ポジションＲがＲ４であるときの断面図である。このとき、前後ポジションＰはＰ４であり、上記距離ＤｓはＤｓ４である。図１５は、回転ポジションＲがＲ５であるときの断面図である。このとき、前後ポジションＰはＰ５であり、上記距離ＤｓはＤｓ５である。Ｄｓ１＞Ｄｓ２＞Ｄｓ３＞Ｄｓ４＞Ｄｓ５である。
【０１０２】
このように、散水ノズル１００では、上記相対移動により、供給流路１２２の水が第１水路ＷＲ１に至る状態と、供給流路１２２の水が第２水路ＷＲ２に至る状態とが選択可能とされている。この選択は、択一的である。
【０１０３】
各図面の形態において、水形及び指示位置は次の通りである。
・図１１（ポジションＰ１、Ｒ１）：シャワー水形：絵柄Ｐｃ１
・図１２（ポジションＰ２、Ｒ２）：ジョロ水形：絵柄Ｐｃ２
・図１３（ポジションＰ３、Ｒ３）：止水状態（吐水無し）：中央部ＥＣ
・図１４（ポジションＰ４、Ｒ４）：ソフトジョロ水形：絵柄Ｐｃ３
・図１５（ポジションＰ５、Ｒ５）：清掃シャワー水形：絵柄Ｐｃ４
【０１０４】
図１４（ポジションＰ４、Ｒ４）及び図１５（ポジションＰ５、Ｒ５）では、水は第１流路ＷＲ１のみに流れる。図１１（ポジションＰ１、Ｒ１）及び図１２（ポジションＰ２、Ｒ２）では、水は第２流路ＷＲ２のみに流れる。
【０１０５】
上述したように、これらのポジションＰ、Ｒの変化は連続的であるから、図１１から１５では示されない形態においても、それぞれのポジションＰ、Ｒに応じた吐水流量、吐水流速及び水形が得られる。前述した表示部Ｅ２（図７）が用いられる場合、目盛りＳｃ１が、複数の絵柄Ｐｃでは示されていない回転ポジションＲを再現するのに役立つ。吐水流量とは、吐水スクリーン１１４から散水される水の流量を意味する。吐水流速とは、吐水スクリーン１１４から散水される水の流速を意味する。
【０１０６】
図１１、１２、１４及び１５では、水の流れが二点鎖線の矢印によって示されている。なお、図１３は止水状態であるから、水の流れは示されていない。
【０１０７】
図１１（ポジションＰ１、Ｒ１）では、供給流路１２２に供給された水は、第二通水部ｔｈ２、第一通水部ｔｈ１及び第２流路ＷＲ２を経由して、外周領域Ａ２のシャワー孔ｈ２から吐水される。第一止水部１２４と円周内面１１８との当接により、水は第１流路ＷＲ１には流れず、第２流路ＷＲ２にのみ流れる。この水の流れは、図１２（ポジションＰ２、Ｒ２）でも同じである。但し、図１２の形態では、図１１の形態に比較して、第一通水部ｔｈ１と第二通水部ｔｈ２との重複幅が狭い。即ち、図１２の形態では、第二通水部ｔｈ２と第一通水部ｔｈ１との境界における流路断面積（境界流路面積Ｍｋ）が狭い。この境界流路面積Ｍｋと、外周領域Ａ２での通水面積Ｍ２（後述）との比によって、スクリーン内圧が変化する。即ち、Ｍｋ／Ｍ２が大きいと、スクリーン内圧が高まる。この図１１（ポジションＰ１、Ｒ１）では、図１２（ポジションＰ２、Ｒ２）に比較して、Ｍｋ／Ｍ２が比較的大きい。このため、図１１（ポジションＰ１、Ｒ１）では、図１２（ポジションＰ２、Ｒ２）に比較して、吐水流量が多く、且つ、吐水流速が速い。これら吐水流量及び吐水流速の変化に伴い、水形が変化する。もちろん、図１１（ポジションＰ１、Ｒ１）と図１２（ポジションＰ２、Ｒ２）との間のポジションＰ、Ｒでは、吐水流量及び吐水流速は連続的に変化し、水形も連続的に変化する。表示部Ｅ１における左部分ＥＬの高さＬｈは、吐水流量が少ないほど小さくなるように連続的に変化している。表示部Ｅ１における左部分ＥＬの高さＬｈは、吐水流速が少ないほど小さくなるように連続的に変化している。
【０１０８】
図１３（ポジションＰ３、Ｒ３）では、第一止水部１２４が円周内面１１８に当接しており、且つ、第二止水部１２６が円周内面１１８に当接している。よって、供給流路１２２に供給された水は、第二通水部ｔｈ２で止水される。水は、第１流路ＷＲ１及び第２流路ＷＲ２のいずれにも至ることなく、止められる。表示部Ｅ１において、この回転ポジションＲ３における指示位置は、中央部ＥＣである。この中央部ＥＣには、高さＨ１がゼロである。この中央部ＥＣは、止水状態であることを分かりやすく表示している。
【０１０９】
なお、寸法の変更によって、止水するポジションを無くすこともできる。これは、例えば、円周内面１１８の前後方向長さを、第一止水部１２４と第二止水部１２６との前後方向距離よりも短くすることで、達成される。この場合、円筒部材ｃｄ１を短くすることができるので、散水ノズル１００の小型化が可能である。この場合、中央部ＥＣに、高さＨ１が表示部Ｅ１において最小とされている最小高さ部が設けられても良い。
【０１１０】
図１４（ポジションＰ４、Ｒ４）では、供給流路１２２に供給された水は、第二通水部ｔｈ２及び第１流路ＷＲ１を経由して、内側領域Ａ１のシャワー孔ｈ１から吐水される。第二止水部１２６と円周内面１１８との当接により、水は第２流路ＷＲ２には流れず、第１流路ＷＲ１にのみ流れる。この水の流れは、図１５（ポジションＰ５、Ｒ５）でも同じである。但し、図１４の形態では、内筒１０６の先端部１３０又は第一止水部１２４と傾斜面１２０との間に狭い流路Ｎ１が形成される。この流路Ｎ１により、境界流路面積Ｍｋが小さくなり、外周領域Ａ１での通水面積Ｍ１との比（Ｍｋ／Ｍ１）が低下する。このＭｋ／Ｍ１の低下により、第１水路ＷＲ１におけるスクリーン内圧が低下する。よって、吐水流量及び吐水流速が低下する。一方、図１５（ポジションＰ５、Ｒ５）では、この狭い流路Ｎ１が解消されるため、図１４（ポジションＰ４、Ｒ４）に比較して、Ｍｋ／Ｍ１が増加する。このＭｋ／Ｍ１の増加により、吐水流量及び吐水流速が増加し、水形が変化する。もちろん、図１４（ポジションＰ４、Ｒ４）と図１５（ポジションＰ５、Ｒ５）との間のポジションＰ、Ｒでは、吐水流量及び吐水流速は連続的に変化し、水形も連続的に変化する。表示部Ｅ１における右部分ＥＲの高さＲｈは、吐水流量が少ないほど小さくなるように連続的に変化している。表示部Ｅ１における右部分ＥＲの高さＲｈは、吐水流速が少ないほど小さくなるように連続的に変化している。  
【０１１１】
図５から図９が示すように、上記表示部Ｅ１、表示部Ｅ２、表示部Ｅ３及び表示部Ｅ４では、ポジションＰ１（Ｒ１）における指示位置に、シャワー水形を連想させる第一絵柄Ｐｃ１が記載されている。ポジションＰ２（Ｒ２）における指示位置に、ジョロ水形を連想させる絵柄Ｐｃ２が記載されている。ポジションＰ３（Ｒ３）における指示位置に、止水状態を連想させる中央部ＥＣが配置されている。ポジションＰ４（Ｒ４）における指示位置に、ソフトジョロ水形を連想させる絵柄Ｐｃ３が記載されている。ポジションＰ５（Ｒ５）における指示位置に、清掃シャワーを連想させる絵柄Ｐｃ４が記載されている。よって、使用者は、所望する水形を容易に選択することができる。
【０１１２】
更に、上記表示部Ｅ１、表示部Ｅ２、表示部Ｅ３及び表示部Ｅ４では、ポジションＰ１（Ｒ１）における指示位置に、水形名称表示Ｎ１（シャワー）が記載されている。ポジションＰ２（Ｒ２）における指示位置に、水形名称表示Ｎ２（ジョロ）が記載されている。ポジションＰ４（Ｒ４）における指示位置に、水形名称表示Ｎ３（ソフトジョロ）が記載されている。ポジションＰ５（Ｒ５）における指示位置に、水形名称表示Ｎ４（清掃シャワー）が記載されている。よって、使用者は、所望する水形を容易に選択することができる。また、表示部Ｅ２、表示部Ｅ３及び表示部Ｅ４では、中央部ＥＣに、止水状態を意味する名称表示Ｎ５（ストップ）が示されている。使用者は、止水状態が選択されていることを容易に認識することができる。
【０１１３】
絵柄Ｐｃ１から絵柄Ｐｃ４は、全て、シャワー孔による吐出水形を示している。全ての吐出水形がシャワー孔からの吐水である場合、水形の類似性が比較的高い。即ち本実施形態では、シャワー、キリ及びストレートといった顕著に相違する水形を有する場合と比較して、水形の類似性が高い。表示部Ｅ１からＥ４では、類似性が高い水形を容易に区別することが可能となる。
【０１１４】
本来的に、シャワー吐水は、細かい水流を広い範囲に分散させることを目的としている。このため、シャワー吐水は、より広い領域からの吐水が当然とされ、狭い内側領域Ａ１のみからシャワー吐水を行うことは想定されなかった。一方、強い水流により清掃等を行う場合、強い水の勢いを重視する観点から、ストレート水形が用いられていた。内側領域Ａ１からのシャワー吐水という技術思想は、従来の技術水準からは容易に想到できないものであった。
【０１１５】
近年、多数の水形が可能な散水ノズルが一般的である。当業者は、水形の多様性によって、利便性の高い散水ノズルを実現してきた。このため従来の散水ノズルでは、シャワー水形に加えて、ストレート水形及びキリ水形への切替が可能であった。内側領域Ａ１からの吐水をシャワー水形とするのは、水形の多様性に逆行すると考えられ、当業者の技術水準とは逆方向の構成であった。
【０１１６】
本実施形態の構成は、このような当業者の技術水準を覆すものである。図１５（ポジションＰ５、Ｒ５）においては、内側領域Ａ１から、勢いのあるシャワー吐水（清掃シャワー水形）が可能である。このシャワー吐水では、以下の作用効果が得られうる。
（１）吐水範囲を、吐水スクリーン１１４の中央部における狭い領域（即ち内側領域Ａ１）に限定している。この狭い範囲から勢いのあるシャワー吐水がなされるため、細い円錐形状の水形で、狭い範囲に、勢いのあるシャワー吐水が可能となる。
（２）強く且つ局所的なシャワー吐水により、落ちにくい汚れを洗い流すことができる。また、ストレート水形と比較して、着水範囲が広いため、汚れを落とす効果が広範囲で得られる。
（３）シャワー水形であり、水流が細いため、吐水流速が高いにも関わらず、ストレート水形のような激しい水ハネは生じない。
（４）吐水流速が高いにも関わらず、従来のストレート水形と比較して、吐水流量は少ない。よって、節水しながら、高い清掃効果が得られる。
【０１１７】
一方、図１４（ポジションＰ４、Ｒ４）では、内側領域Ａ１のみから、吐水流量が少ない水形（ソフトジョロ水形）の吐水がなされる。着水範囲は狭く、吐水流量を微小とすることが可能である。よって例えば、植木鉢及び観葉植物への給水に最適である。図１２（ポジションＰ２、Ｒ２）によるジョロ水形でも、狭い着水範囲と少ない吐水流量が可能であるが、吐水が広い範囲（外周領域Ａ２）からなされるため、上記ソフトジョロ水形の場合と比較して、着水範囲及び吐水流量の調節に限界があった。よって、例えば、小さな植木鉢及び小さな観葉植物等への給水が難しいことがあった。また、園芸用途では、勢いが小さく且つ少量の水を吐出したい場合があるが、上記ジョロ水形ではそのような吐水が困難であった。図１４（ポジションＰ４、Ｒ４）のソフトジョロ水形は、この問題を解決しうる。
【０１１８】
なお、傾斜面１２０は、回転ポジションＲの回転角度に対する吐水流量又は吐水流速の変化率を緩やかにするのに寄与している。即ち、傾斜面１２０は、ソフトジョロ水形において、吐水流量及び吐水流速の調整を容易としている。
【０１１９】
図１１（ポジションＰ１、Ｒ１）のシャワー水形では、円環状（ドーナツ型）の外周領域Ａ２からシャワー吐水がなされる。よって、少ない吐水流量で、着水範囲の直径が広い水形が得られる。内側領域Ａ１の外側に外周領域Ａ２を設けることで、外周領域Ａ２の直径Ｄ２を大きくしつつ、外周領域Ａ２の面積を抑制することができる。この面積の抑制により、シャワー孔ｈ２の配置密度を適切に維持しながら、直径Ｄ２を拡大することが可能となる。よって、吐水スクリーン１１４の外面の球面形状の曲率を過度に大きくすることなく、シャワー吐水の着水範囲を大きくすることができる。吐水スクリーン１１４の外面の球面形状の曲率が過大である場合、水流が乱れ、適切なシャワー水形が得られないことがある。
【０１２０】
散水ノズル１００では、内側領域Ａ１から連続的に変化するシャワー吐水が得られるのに加え、外周領域Ａ２からも、連続的に変化するシャワー吐水が得られる。さらに、前述の通り、内側領域Ａ１からのシャワー吐水と、外周領域Ａ２からのシャワー吐水とで、多くの相違がある。このように散水ノズル１００では、多様なシャワー吐水が実現される。表示部Ｅ１からＥ４により、使用者は、この多様なシャワー吐水を容易に選択することができる。
【０１２１】
［内側領域Ａ１のシャワー孔ｈ１の孔径等］
内側領域Ａ１からのシャワー吐水の吐水流速を高める観点及び水ハネ抑制の観点から、シャワー孔ｈ１の孔径は、０．４６ｍｍ以下が好ましく、０．３８ｍｍ以下がより好ましい。吐水流量が過少となることを防ぐ観点から、シャワー孔ｈ１の孔径は、０．３４ｍｍ以上が好ましく、０．３８ｍｍ以上がより好ましい。後述される実施例では、このシャワー孔ｈ１の孔径は０．３８ｍｍとされた。
【０１２２】
異なる孔径のシャワー孔ｈ１が併用されてもよい。この併用の場合、全てのシャワー孔ｈ１の孔径の平均値が、上記数値限定を満たすのが好ましく、全てのシャワー孔ｈ１の孔径が、上記数値限定を満たすのがより好ましい。
【０１２３】
シャワー孔ｈ１は円形とされるのが良いが、他の形状、例えば楕円又は矩形とすることもできる。また、円形のシャワー孔ｈ１と、１種以上の非円形のシャワー孔ｈ１とが併用されてもよい。円形のシャワー孔ｈ１と、２種以上の非円形のシャワー孔ｈ１とが併用されてもよい。前述の実施形態では、全てのシャワー孔ｈ１は円形である。
【０１２４】
非円形のシャワー孔ｈ１が採用される場合、そのシャワー孔ｈ１の外輪郭線は、内方への凹みが存在しない形状、例えば、楕円又は正多角形とされるのが好ましい。ここで、シャワー孔ｈ１の外輪郭線上の２つの点の距離を離間距離Ｇとする。この離間距離Ｇは、上記２点を両端とし且つ上記外輪郭線の図心を通る線分の長さである。離間距離Ｇの最大値がＧｍａｘとされ、離間距離Ｇの最小値がＧｍｉｎとされる。シャワー孔ｈ１の外輪郭線が非円形とされる場合、（Ｇｍａｘ／Ｇｍｉｎ）は、２以下が好ましく、１．５以下がより好ましく、１．２以下が更に好ましい。円形のシャワー孔ｈ１では、（Ｇｍａｘ／Ｇｍｉｎ）が１である。
【０１２５】
非円形のシャワー孔ｈ１が採用される場合、その非円形の孔と同じ面積を有する円形の直径Ｄｈが算出される。内側領域Ａ１からのシャワー吐水の吐水流速を高める観点及び水ハネ抑制の観点から、この直径Ｄｈは、０．４６ｍｍ以下が好ましく、０．３８ｍｍ以下がより好ましい。吐水流量が過少となることを防ぐ観点から、直径Ｄｈは、０．３４ｍｍ以上が好ましく、０．３８ｍｍ以上がより好ましい。
【０１２６】
［内側領域Ａ１のシャワー孔ｈ１の数］
内側領域Ａ１からのシャワー吐水において水ハネを抑制する観点から、シャワー孔ｈ１の数は、６８以上が好ましい。吐水流速及び節水の観点から、シャワー孔ｈ１の数は、１００以下が好ましく、６８以下がより好ましい。後述される実施例では、このシャワー孔ｈ１の数は６８とされた。
【０１２７】
［内側領域Ａ１での通水面積Ｍ１］
吐水流量が過少となることを防ぐ観点から、内側領域Ａ１での通水面積Ｍ１は、７．７ｍｍ２以上が好ましい。吐水流速を高める観点から、内側領域Ａ１での通水面積Ｍ１は、１１ｍｍ２以下が好ましく、７．７ｍｍ２以下がより好ましい。後述される実施例では、この通水面積Ｍ１は７．７ｍｍ２とされた。通水面積Ｍ１は、内側領域Ａ１にある全ての通水孔の孔面積の総和である。この孔面積は、吐水スクリーンの外面における面積である。
【０１２８】
［外周領域Ａ２のシャワー孔ｈ２の孔径］
吐水流速の観点から、シャワー孔ｈ２の孔径は、０．３６ｍｍ以下が好ましく、０．２８ｍｍ以下がより好ましい。吐水流量が過少となることを防ぐ観点から、シャワー孔ｈ２の孔径は、０．２４ｍｍ以上が好ましく、０．２８ｍｍ以上がより好ましい。後述される実施例では、このシャワー孔ｈ２の孔径は０．２８ｍｍとされた。
【０１２９】
異なる孔径のシャワー孔ｈ２が併用されてもよい。この併用の場合、全てのシャワー孔ｈ２の孔径の平均値が上記数値限定を満たすのが好ましく、全てのシャワー孔ｈ２の孔径が上記数値限定を満たすのがより好ましい。
【０１３０】
シャワー孔ｈ２は円形とされるのが良いが、他の形状、例えば楕円又は矩形とすることもできる。また、円形のシャワー孔ｈ２と、１種以上の非円形のシャワー孔ｈ２とが併用されてもよい。円形のシャワー孔ｈ２と、２種以上の非円形のシャワー孔ｈ２とが併用されてもよい。前述の実施形態では、全てのシャワー孔ｈ２は円形である。
【０１３１】
非円形のシャワー孔ｈ２が採用される場合、そのシャワー孔ｈ２の外輪郭線は、内方への凹みが存在しない形状、例えば、楕円又は正多角形とされるのが好ましい。ここで、シャワー孔ｈ２の外輪郭線上の２つの点の距離を離間距離Ｈとする。この離間距離Ｈは、上記２点を両端とし且つ上記外輪郭線の図心を通る線分の長さである。離間距離Ｈの最大値がＨｍａｘとされ、離間距離Ｈの最小値がＨｍｉｎとされる。シャワー孔ｈ２の外輪郭線が非円形とされる場合、（Ｈｍａｘ／Ｈｍｉｎ）は、２以下が好ましく、１．５以下がより好ましく、１．２以下が更に好ましい。円形のシャワー孔ｈ２では、（Ｈｍａｘ／Ｈｍｉｎ）が１である。
【０１３２】
非円形のシャワー孔ｈ２が採用される場合、その非円形の孔と同じ面積を有する円形の直径Ｄｊが算出される。外周領域Ａ２からのシャワー吐水の吐水流速を高める観点及び水ハネ抑制の観点から、この直径Ｄｊは、０．４６ｍｍ以下が好ましく、０．３８ｍｍ以下がより好ましい。吐水流量が過少となることを防ぐ観点から、直径Ｄｊは、０．３４ｍｍ以上が好ましく、０．３８ｍｍ以上がより好ましい。
【０１３３】
［外周領域Ａ２のシャワー孔ｈ２の数］
適切な吐水流量及び吐水流速をうる観点から、シャワー孔ｈ２の数は、２２０以上が好ましく、２５０以上がより好ましい。吐水流速及び節水の観点から、シャワー孔ｈ２の数は、２５８以下が好ましい。後述される実施例では、このシャワー孔ｈ２の数は２５８とされた。
【０１３４】
［外周領域Ａ２での通水面積Ｍ２］
吐水流量が過少となることを防ぐ観点から、外周領域Ａ２での通水面積Ｍ２は、１５．０ｍｍ２以上が好ましく、１５．９ｍｍ２以上がより好ましい。適切な吐水流速をうる観点から、外周領域Ａ２での通水面積Ｍ２は、１５．９ｍｍ２以下が好ましい。後述される実施例では、この通水面積は１５．９ｍｍ２とされた。通水面積Ｍ２は、外周領域Ａ２にある全ての通水孔の孔面積の総和である。この孔面積は、吐水スクリーンの外面における面積である。
【０１３５】
［シャワー吐水の広がり形状］
後述される図１６（ａ）及び図１６（ｂ）が示すように、水平方向での吐水において、上方から見た水形幅が計測されうる。水平方向での吐水において、吐水の直進性が維持されうる状態（直進吐水状態）が設定される。例えば、吐水スクリーンからの距離が５００ｍｍである地点まで直進吐水状態とされる場合の水道水圧は、例えば、０．３ＭＰａ以上である。この直進吐水状態において、上記水平距離が２００ｍｍである地点での上記水形幅がＳ１又はＳ３とされ、上記水平距離が５００ｍｍである地点での上記水形幅がＳ２又はＳ４とされる。
【０１３６】
［内側領域Ａ１からの吐水における水形幅Ｓ１（２００ｍｍ地点）］
水ハネ抑制の観点及び着水範囲の観点から、内側領域Ａ１からのシャワー吐水における水形幅Ｓ１は、３０ｍｍ以上が好ましい。清掃効果を高める観点から、内側領域Ａ１からのシャワー吐水における水形幅Ｓ１は、４０ｍｍ以下が好ましい。後述される実施形態では、上記直進吐水状態において、水形幅Ｓ１が３３ｍｍであった。
【０１３７】
［内側領域Ａ１からの吐水における水形幅Ｓ２（５００ｍｍ地点）］
水ハネ抑制の観点及び着水範囲の観点から、内側領域Ａ１からのシャワー吐水における水形幅Ｓ２は、４７ｍｍ以上が好ましい。清掃効果を高める観点から、内側領域Ａ１からのシャワー吐水における水形幅Ｓ２は、５７ｍｍ以下が好ましい。後述される実施形態では、上記直進吐水状態において、水形幅Ｓ２が５２ｍｍであった。
【０１３８】
［外周領域Ａ２からの吐水における水形幅Ｓ３（２００ｍｍ地点）］
着水範囲を確保する観点から、外周領域Ａ２からのシャワー吐水における水形幅Ｓ３は、８８ｍｍ以上が好ましい。過度な拡散水形を防止する観点から、外周領域Ａ２からのシャワー吐水における水形幅Ｓ３は、９８ｍｍ以下が好ましい。後述される実施形態では、上記直進吐水状態において、水形幅Ｓ３が９３ｍｍであった。
【０１３９】
［外周領域Ａ２からの吐水における水形幅Ｓ４（５００ｍｍ地点）］
着水範囲を確保する観点から、外周領域Ａ２からのシャワー吐水における水形幅Ｓ４は、１６１ｍｍ以上が好ましい。過度な拡散水形を防止する観点から、外周領域Ａ２からのシャワー吐水における水形幅Ｓ４は、１７１ｍｍ以下が好ましい。後述される実施形態では、上記直進吐水状態において、水形幅Ｓ４が１６６ｍｍであった。  
【０１４０】
図１６（ａ）と図１６（ｂ）とが示すように、飛水距離が２００ｍｍ及び５００ｍｍの地点において、上記内側領域からの吐水の着水範囲は、上記外側領域からの吐水の着水範囲よりも狭い。更に、この実施形態では、飛水距離に関わらず、上記内側領域からの吐水の着水範囲は、上記外側領域からの吐水の着水範囲よりも狭い。この着水範囲は、上記直進吐水状態において判断される。
【０１４１】
吐水スクリーン１１４の材質として、ＰＯＭ（ポリアセタール）樹脂及びＡＢＳ樹脂が例示される。耐薬品性及び耐光性の観点から、ＰＯＭ（ポリアセタール）樹脂が好ましい。後述される実施例ではＰＯＭ（ポリアセタール）樹脂を用いた。
【０１４２】
外筒１０４の材質としては、印刷の定着性、溶着強度及び外観性の観点からＡＢＳ樹脂が好ましい。後述される実施例ではＡＢＳ樹脂を用いた。
【０１４３】
円筒部材ｃｄ１の材質としては、溶着強度の観点からＡＢＳ樹脂が好ましい。後述される実施例ではＡＢＳ樹脂を用いた。
【０１４４】
内筒１０６の材質としては、溶着強度及び外観の観点からＡＢＳ樹脂が好ましい。後述される実施例ではＡＢＳ樹脂を用いた。
【実施例】
【０１４５】
以下、実施例によって本発明の効果が明らかにされるが、この実施例の記載に基づいて本発明が限定的に解釈されるべきではない。
【０１４６】
［実施例］
前述した第一実施形態の散水ノズル１００を用いて、水形、吐水流量及び吐水流速に関するテストを行った。この散水ノズル１００には、前述した表示部Ｅ１及び基準位置表示Ｇ１が設けられている。
【０１４７】
回転ポジションＲとして、各絵柄Ｐｃで示された指示位置が選択された。即ち、回転ポジションＲとして、「シャワー」、「ジョロ」、「ソフトジョロ」及び「清掃シャワー」が選択された。
【０１４８】
図１６（ａ）は、水平方向の吐水された「清掃シャワー」の水形（輪郭）を上方から見た図である。図１６（ｂ）は、水平方向の吐水された「シャワー」の水形（輪郭）を上方から見た図である。前述した通り、測定結果は、水形幅Ｓ１が３３ｍｍであり、水形幅Ｓ２が５２ｍｍであり、水形幅Ｓ３が９３ｍｍであり、水形幅Ｓ４が１６６ｍｍであった。このように、多様なシャワー吐水が可能であった。また、清掃等の用途において利便性が高い清掃シャワーの水形が実現された。
【０１４９】
図１７は、これら４つの回転ポジションＲにおける、水道水圧（ＭＰａ）と吐水流量（Ｌ／ｍｉｎ）との関係を示すグラフである。図１８は、これら４つの回転ポジションＲにおける、水道水圧（ＭＰａ）と吐水流速（ｍ／ｓ）との関係を示すグラフである。図１９は、回転角度と吐水流量との関係、及び、回転速度と吐水流速との関係を示すグラフである。図１９の測定において、水道水圧は０．２ＭＰａとされた。図１９では、各プロット点において、吐水流量又は吐水流速の値が付記されている。
【０１５０】
図１７が示すように、「清掃シャワー」は、吐水流量に関しては、「ジョロ」とほぼ同等であり、「シャワー」よりも少ない。一方、図１８が示すように、「清掃シャワー」の吐水流速は、「シャワー」よりも高い。このように「清掃シャワー」は、少ない吐水流量で、高い吐水流速が達成されている。よって、「清掃シャワー」は、清掃効果及び節水効果に優れる。図１７が示すように、「ジョロ」と「清掃シャワー」とは、水形及び吐水流速が大きく相違するにも関わらず、吐水流量が近似している。これは、散水ノズル１００のシャワー吐水の多様性を示している。また、図１８が示すように、４種のシャワー吐水において、多様な吐水流速が達成されている。これも、散水ノズル１００のシャワー吐水の多様性を示している。
【０１５１】
図１９が示すように、「清掃シャワー」から「ソフトジョロ」への移行において、回転角度に対する吐水流速の変化は比較的急激である。これに対して、「ソフトジョロ」から「シャワー」への移行において、回転角度に対する吐水流量の変化は比較的緩やかである。これは、「清掃シャワー」で吐水流速を高めた場合でも、吐水流量はそれほど増加しないことを意味しており、高い節水効果が示されている。また、「清掃シャワー」では、少ない吐水流量で高い吐水流速が得られ、高い清掃効果が実現されている。
【０１５２】
図１９が示すように、本実施例では、吐出流量及び吐出流速が連続的に変化している。本実施例では、吐出流量及び吐出流速が連続的に変化が、表示部Ｅ１の高さＨ１の連続的な変化によって表示されている。なお図１９のグラフには、止水状態での値はプロットされていない。
【０１５３】
本実施例では、右回転領域（図１９のグラフでは左側）の最大流量ＶＲ１が、左回転領域（図１９のグラフでは右側）の最大流量ＶＬ１よりも小さい。これに対応して、表示部Ｅ１では、高さＲｈの最大値Ｒｍｘ（図５（ｂ）参照）が、高さＬｈの最大値がＬｍｘ（図５（ｂ）参照）よりも小さい。このように、本実施例では、ＲｍｘとＬｍｘとの大小関係（Ｒｍｘ＜Ｌｍｘ）が、ＶＲ１とＶＬ１との大小関係（ＶＲ１＜ＶＬ１）に一致している。即ち、本実施例は、上記（ｄ）を満たしている。よって、使用者による流量の把握が容易である。
【０１５４】
本実施例では、指示位置が清掃シャワーであるときの吐水流量は、指示位置がソフトジョロであるときの吐水流量よりも大きい。これに対応して、表示部Ｅ１では、水形高さＷｈ４が水形高さＷｈ３よりも大きい（図６参照）。よって本実施例は、上記（ｅ）を満たしている。
【０１５５】
本実施例では、指示位置がシャワーであるときの吐水流量は、指示位置がジョロであるときの吐水流量よりも大きい。これに対応して、表示部Ｅ１では、水形高さＷｈ１が水形高さＷｈ２よりも大きい（図６参照）。よって本実施例は、上記（ｅ）を満たしている。
【０１５６】
本実施例では、指示位置が清掃シャワーであるときの吐水流速は、指示位置がソフトジョロであるときの吐水流速よりも大きい。これに対応して、表示部Ｅ１では、水形高さＷｈ４が水形高さＷｈ３よりも大きい。よって本実施例は、上記（ｅ）を満たしている。
【０１５７】
本実施例では、指示位置がシャワーであるときの吐水流速は、指示位置がジョロであるときの吐水流速よりも大きい。これに対応して、表示部Ｅ１では、水形高さＷｈ１が水形高さＷｈ２よりも大きい。よって本実施例は、上記（ｅ）を満たしている。
【０１５８】
図１６（ａ）及び図１６（ｂ）が示すように、本実施例では、直進吐水状態において、指示位置が右部分ＥＲにあるときの吐水スクリーンにおける水形幅Ｓａは、指示位置が左部分ＥＬにあるときの吐水スクリーンにおける水形幅Ｓｂよりも小さい。これに対応して、表示部Ｅ１では、水形手前幅Ｗ１３及び水形手前幅Ｗ１４のうちの最大値（Ｗ１４）が、水形手前幅Ｗ１１及び水形手前幅Ｗ１２のうちの最小値（Ｗ１１）よりも小さい（図６参照）。よって本実施例は、上記（ｆ）を満たしている。
【０１５９】
本実施例では、指示位置が右部分ＥＲにあるときの着水範囲は、指示位置が左部分ＥＬにあるときの着水範囲よりも小さい。これに対応して、表示部Ｅ１では、水形手前幅Ｗ２３及び水形手前幅Ｗ２４のうちの最大値（Ｗ２４）が、水形手前幅Ｗ２１及び水形手前幅Ｗ２２のうちの最小値（Ｗ２２）よりも小さい（図６参照）。よって本実施例は、上記（ｇ）を満たしている。
【０１６０】
このように、本実施例では、吐水状態が表示部Ｅ１によって効果的に可視化されている。よって、使用者による吐水仕様の設定及び再現が容易とされている。
【０１６１】
以上の記載から、本発明の優位性は明らかである。
【産業上の利用可能性】
【０１６２】
以上説明された散水ノズルは、園芸、清掃、洗車など、あらゆる用途に用いられ得る。
【符号の説明】
【０１６３】
１００・・・散水ノズル
１０２・・・本体
１０４・・・外筒
１０６・・・内筒
１０８・・・給水接続部
１１０・・・把持部
１１２・・・レバー
１１４・・・吐水スクリーン
１１８・・・円周内面
１２０・・・円錐凹面
１２２・・・供給流路
１２４・・・第一止水部
１２６・・・第二止水部
ｃｄ１・・・円筒部材
ｆｓ１・・・雌ネジ部
ｍｓ１・・・雄ネジ部
Ａ１・・・内側領域
Ａ２・・・外周領域
ｈ１・・・内側領域のシャワー孔
ｈ２・・・外周領域のシャワー孔
ＷＲ１・・・第１流路
ＷＲ２・・・第２流路
ｔｈ１・・・第一通水部
ｔｈ２・・・第二通水部
ｔｈ・・・通水部
Ｅ１、Ｅ２、Ｅ３、Ｅ４・・・表示部
ＥＲ・・・右部分
ＥＬ・・・左部分
ＥＣ・・・中央部
ＨＲ・・・右高さ変化部
ＨＬ・・・左高さ変化部
Ｐｃ１、Ｐｃ２、Ｐｃ３、Ｐｃ４・・・絵柄
Ｈ１・・・表示部の高さ
Ｒｈ・・・右部分の高さ
Ｌｈ・・・右部分の高さ
Ｋ１Ｒ・・・右傾斜線
Ｋ１Ｌ・・・左傾斜線
Ｂ１Ｒ・・・右ベースライン
Ｂ１Ｌ・・・左ベースライン
Ｓｃ１・・・目盛り
Ｎ１、Ｎ２、Ｎ３、Ｎ４・・・水形名称表示
Ｇ１・・・基準位置表示
【図１】
0005583651.tif 000002
【図２】
0005583651.tif 000003
【図３】
0005583651.tif 000004
【図４】
0005583651.tif 000005
【図５】
0005583651.tif 000006
【図６】
0005583651.tif 000007
【図７】
0005583651.tif 000008
【図８】
0005583651.tif 000009
【図９】
0005583651.tif 000010
【図１０】
0005583651.tif 000011
【図１１】
0005583651.tif 000012
【図１２】
0005583651.tif 000013
【図１３】
0005583651.tif 000014
【図１４】
0005583651.tif 000015
【図１５】
0005583651.tif 000016
【図１６】
0005583651.tif 000017
【図１７】
0005583651.tif 000018
【図１８】
0005583651.tif 000019
【図１９】
0005583651.tif 000020